(57)【特許請求の範囲】
【請求項１】
屋根上に突出したボルト体を緊締により挟着するボルト体固定部と、屋根上物品を緊締により挟着する屋根上物品固定部とを一体に備えた屋根上物品取付具であって、
前記ボルト体固定部は、前記ボルト体を嵌挿し緊締により縮径するボルト体嵌挿筒部と、該ボルト体嵌挿筒部を止具にて緊締する第１緊締部とを備える一方、前記屋根上物品固定部は、前記屋根上物品を挟着する挟着片と、該挟着片を止具にて緊締する第２緊締部とを備えたことを特徴とする屋根上物品取付具。
【請求項２】
請求項１において、
前記ボルト体嵌挿筒部は、板材を重合折曲して形成された折曲部を筒状に加工して構成され、
前記第１緊締部は、前記折曲部から横方向に延びた２枚の板片の重合部にて構成され、
前記第２緊締部は、前記第１緊締部からさらに上方に延びた２枚の板片の重合部にて構成され、
前記挟着片は、前記第２緊締部からさらに上方に延びた２枚の板片の開放端部を加工して構成され、前記屋根上物品を下方より支持し、挟着する構成としたことを特徴とする屋根上物品取付具。
【請求項３】
請求項１または２において、
前記ボルト体嵌挿部の内周胴部に凹凸が形成されていることを特徴とする屋根上物品取付具。
【請求項４】
請求項１〜３のいずれかの屋根上物品取付具を、屋根上に突出したボルト体に取り付けるようにしたことを特徴とする屋根上物品取付具の取付構造。
【発明の詳細な説明】
【技術分野】
【０００１】
本発明は、屋根上に突出したボルト体に挟着して固定される屋根上物品取付具およびその取付構造に関する。
【背景技術】
【０００２】
一般に、折板屋根（角波形屋根）、丸波形屋根等の波形屋根の上面に、例えばテレビアンテナや空調機器、太陽電池パネル、遮熱シート等の屋根上物品を、屋根上物品取付用の長尺フレームを介して取り付け固定することが実施されている。
【０００３】
従来にはたとえば、屋根上物品を屋根上に取り付けるための屋根上物品取付具として、屋根上に突出した屋根材連結用のボルト体に挟着して固定される挟着構造のものが提案されている（特許文献１参照）。
【０００４】
具体的には、この挟着構造の屋根上物品取付具は、略門形に形成した屋根上物品取付具の両脚片を横方向に貫通する緊締用ボルト、ナットで緊締して、両脚片のそれぞれの下端から対向するように延びた両挟着片をボルト体に挟着させる構造となっている。
【０００５】
また、特許文献１に記載された屋根上物品取付具において、溝形状の長尺フレームは、その溝の底部において、複数の屋根上物品取付具の台座部にビス止めで固定されるようになっており、併設された屋根上物品設置用の長尺フレームとの間に遮熱シートを張設できるようになっている。
【先行技術文献】
【特許文献】
【０００６】
【特許文献１】特開２０１１−１７４３３３号公報
【発明の概要】
【発明が解決しようとする課題】
【０００７】
しかしながら、上記従来の屋根上物品取付具による長尺フレームの施工では、現場で長尺フレームの底部にビス孔を開けて屋根上物品取付具にビス止めするため、ビス孔開設時の削り粉である金属切粉が長尺フレームの溝内や周辺に飛散し、残留することがあり、そのまま放置することで、雨水等によって切粉が錆びて、錆が周辺の屋根面にも及ぶおそれがあった。
【０００８】
特に、溝内に飛散した切粉は取り除きにくく、切粉が発生しないか、あるいは発生しても取り除きやすい取付構造が望まれていた。
【０００９】
また近時、長尺フレームをビス止めで固定せずに、台座部に、挟着等により固定できる別部材を取着して、その別部材を介して長尺フレームを固定する屋根上物品取付具が、本出願人により試行されている。
【００１０】
しかしながら、この屋根上物品取付具によれば、長尺フレームを固定するための別部材を必要とするから部品点数が増加するため、部品管理面、コスト面においての問題がある。
【００１１】
本発明は、このような事情を考慮して提案されたもので、その目的は、長尺フレーム等の屋根上物品を、ビス止めによらず、かつ多数の部品を用いることなく簡単に屋根上に固定することができる屋根上物品取付具およびその取付構造を提供することにある。
【課題を解決するための手段】
【００１２】
上記目的を達成するために、請求項１に記載の屋根上物品取付具は、屋根上に突出したボルト体を緊締により挟着するボルト体固定部と、屋根上物品を緊締により挟着する屋根上物品固定部とを一体に備えた屋根上物品取付具であって、ボルト体固定部は、ボルト体を嵌挿し緊締により縮径するボルト体嵌挿筒部と、該ボルト体嵌挿筒部を止具にて緊締する第１緊締部とを備える一方、屋根上物品固定部は、屋根上物品を挟着する挟着片と、該挟着片を止具にて緊締する第２緊締部とを備えたことを特徴とする。
【００１３】
（削除）
【００１４】
請求項２に記載の屋根上物品取付具は、ボルト体嵌挿筒部は、板材を重合折曲して形成された折曲部を筒状に加工して構成され、第１緊締部は、折曲部から横方向に延びた２枚の板片の重合部にて構成され、第２緊締部は、第１緊締部からさらに上方に延びた２枚の板片の重合部にて構成され、挟着片は、第２緊締部からさらに上方に延びた２枚の板片の開放端部を加工して構成され、屋根上物品を下方より支持し、挟着する構成としたことを特徴とする。
【００１５】
請求項３に記載の屋根上物品取付具は、ボルト体嵌挿部の内周胴部に凹凸が形成されていることを特徴とする。
【００１６】
請求項４に記載の屋根上物品取付構造は、請求項１〜４のいずれかの屋根上物品取付具を、屋根上に突出したボルト体に取り付けるようにしたことを特徴とする。
【発明の効果】
【００１７】
請求項１に記載の屋根上物品取付具、請求項４に記載の屋根上物品取付具の取付構造によれば、屋根上物品取付具が屋根上物品を緊締により挟着する屋根上物品固定部を備えているので、屋根上物品をビス止めにて固定しなくてもよく、切粉の発生を抑止できる。
【００１８】
また、屋根上物品取付具は、屋根上に突出したボルト体を緊締により挟着するボルト体固定部と、屋根上物品固定部とを一体に備えているので、屋根上物品を固定するために別部材を用いることなく、簡単に屋根上に固定することができる。
【００１９】
さらに、ボルト体固定部は、ボルト体を嵌挿し緊締により縮径するボルト体嵌挿筒部と、ボルト体嵌挿筒部を止具にて緊締する第１緊締部とを備え、屋根上物品固定部は、屋根上物品を挟着する挟着片と、挟着片を止具にて緊締する第２緊締部とを備えているので、屋根上物品取付具の屋根上への取り付け、およびその取付具への屋根上物品の取り付けが簡単な緊締作業で行える。
【００２０】
請求項２に記載の屋根上物品取付具によれば、ボルト体嵌挿筒部は板材を重合折曲して形成された折曲部を筒状に加工して構成され、第１緊締部は折曲部から横方向に延びた２枚の板片の重合部にて構成され、第２緊締部は第１緊締部からさらに上方に延びた２枚の板片の重合部にて構成され、挟着片は第２緊締部からさらに上方に延びた２枚の板片の開放端部を加工して構成されているので、屋根上物品取付具を簡単な構造のものに形成でき、製造を簡易に行える。
【００２１】
また、挟着片は屋根上物品を下方より支持し、挟着する構成となっているので、たとえば長尺フレームを挟着片に上方より載置し、その後、第２緊締部で締め付けるだけでよいから、屋根上での屋根上物品の取り付けを楽に行える。
【００２２】
請求項３に記載の屋根上物品取付具によれば、ボルト体嵌挿部の内周胴部に凹凸が形成されているので、屋根上物品取付具をボルト体に対して滑ることなく、しっかりと固定することができる。
【図面の簡単な説明】
【００２３】
【図１】本発明の一実施形態に係る屋根上物品取付具の取付構造の分解斜視図である。
【図２】（ａ）は図１に示した屋根上物品取付具の正面図、（ｂ）は（ａ）におけるＸ−Ｘ線矢視断面図、（ｃ）は同屋根上物品取付具の右側面図、（ｄ）は同右側面図（第１緊締部を緊締した状態）、（ｅ）は同右側面図（第２緊締部を緊締した状態）である。
【図３】（ａ）は図１に示した屋根上物品取付具の取り付け状態を示す正面図、（ｂ）は同右側面図、（ｃ）は同平面図である。
【図４】長尺フレームの取り付け状態を示す概略正面図である。
【図５】遮熱シートの取り付け状態を示す概略側面図である。
【図６】本発明の他の実施形態に係る屋根上物品取付具の取付構造の分解斜視図である。
【図７】図６に示した屋根上物品取付具の取り付け状態を示す正面図である。
【発明を実施するための形態】
【００２４】
以下に、本発明の実施の形態について、添付図面を参照しながら説明する。
【００２５】
まず、本発明の一実施形態に係る屋根上取付具図について、図１〜図５とともに説明する。
【００２６】
この屋根上物品取付具Ａが取り付けされる屋根としては、図例（図１参照）に示した折板屋根Ｙ（角波形屋根）や丸波形屋根が挙げられる。また、屋根の素材としては、金属や合成樹脂、セメント系等のものが適用できる。
【００２７】
この折板屋根Ｙは、山部Ｙ１と谷部Ｙ２が交互に連続する屋根であって、複数の折板屋根材を側端縁の山部Ｙ１の頂部Ｙ１ａで重合し、その重合部でボルト体ＢとナットＣ１の螺着によって連結した重ね式接合構造となっている。ボルト体Ｂの剣先は上方を向き、屋根上に突出したボルト体Ｂの軸部Ｂ１にナットＣ１が螺合されている。
【００２８】
このナットＣ１は、図例においては、その下方の座金Ｃ２（図例では山座金）と一体的に形成されている。座金Ｃ２は、屋根材のボルト孔から下方への水の浸入を防止するための防水パッキン（不図示）を備えている。
【００２９】
また、折板屋根Ｙの裏側には、正面視で折板屋根Ｙと略同形状をなす、ボルト止めのための支持金具Ｙ３が取り付けられている（図３（ａ）参照）。なお、屋根上物品取付具Ａを取り付けるためのボルト体Ｂの取り付け位置は隣接する折板屋根材の重合部に限らず、他の頂部Ｙ１ａに支持金具Ｙ３を用いてボルト体Ｂを取り付けてもよい。
【００３０】
この屋根上物品取付具Ａは、屋根上に突出したボルト体Ｂを緊締により挟着するボルト体固定部１０と、長尺フレーム１等の屋根上物品を緊締により挟着する屋根上物品固定部２０とを一体に備えている。
【００３１】
なお、本実施形態では長尺フレーム１として溝形状のフレーム（図３（ｂ）参照）が用いられる。この長尺フレーム１は、溝開口１ａの幅寸法が底部１ｂの幅寸法よりも小さい、両側壁１ｃが傾斜した形状となっている。
【００３２】
ボルト体固定部１０は、ボルト１３を嵌挿し、緊締により縮径するボルト体嵌挿筒部１１と、ボルト体嵌挿筒部１１をボルト１３、ナット１４の螺合により緊締する第１緊締部１２とを備えている。
【００３３】
一方、屋根上物品固定部２０は、長尺フレーム１を挟着する挟着片２１と、挟着片２１をボルト２３、ナット２４の螺合により緊締する第２緊締部２２とを備えている。
【００３４】
本実施形態の屋根上物品取付具Ａは、金属板または硬質樹脂板よりなり、その板材を折曲重合して構成されている。この板材重合体は、折曲部が側端部に配され、その折曲部から他の側端部側に向けて板片同士が鋭角的に開いた重合体となっている。
【００３５】
この板材重合体が、ボルト体嵌挿筒部１１、第１緊締部１２を備えてなるボルト体固定部１０、および挟着片２１、第２緊締部２２を備えてなる屋根上物品固定部２０を有した構造となっている。なお屋根上物品取付具Ａは、物理的に折曲したものに限られず、押出成形等により折曲重合形状に形成されたものでもよい。
【００３６】
板材重合体の折曲部は円筒状に形成されており、その折曲部がボルト体嵌挿筒部１１を構成している。ボルト体嵌挿筒部１１の内周胴部１１ａには、ボルト体Ｂの軸部Ｂ１と螺合するようにねじ溝が形成されている。
【００３７】
なお、ボルト１３に対する屋根上物品取付具Ａの固定は後述するように緊締、挟着によるものであるが、固定を補完するためにボルト体嵌挿筒部１１の内周胴部１１ａに係止または滑り止め用の凹凸が形成してあることが望ましく、その凹凸はボルト体Ｂの軸部Ｂ１と螺合する雌ねじであることがより望ましい。凹凸としてはたとえば、ねじ溝の代わりに縦溝、横溝、斜め溝等の種々の溝または微細凹凸を設けてもよい。
【００３８】
このように、ボルト体嵌挿筒部１１の内周胴部１１ａに凹凸が形成されていれば、ボルト体Ｂの軸部Ｂ１のねじ山が破損している場合でも、凹凸による滑り止め作用によって、屋根上物品取付具Ａをボルト体Ｂにしっかりと固定することができる。
【００３９】
ボルト体固定部１０の第１緊締部１２は、ボルト体嵌挿筒部１１から横方向に延びた２枚の板片の重合部にて構成され、また屋根上物品固定部２０の第２緊締部２２は、第１緊締部１２からさらに上方に延びた２枚の板片の重合部にて構成され、さらに屋根上物品固定部２０の挟着片２１は、第２緊締部２２からさらに上方に延びた２枚の板片の開放端部を加工して構成されている。この挟着片２１が、長尺フレーム１を下方より支持し、長尺フレーム１を幅方向の両側より挟み込んで固定する構成となっている。
【００４０】
第１緊締部１２は、先端がやや開いた２枚の板片よりなり（ボルト体固定部１０を示した図２（ｂ）参照）、各板片にはボルト挿通孔１２ａとして四角孔が形成されている。緊締用のボルト１３としては根角ボルトが用いられ、根角部が四角孔に嵌合してナット１４止めによる共回りを防止できるようになっている。
【００４１】
第２緊締部２２は、図２（ｃ）に示すように、第１緊締部１２を構成する２枚の板片より延び、上方に向けてやや開くように形成されている。各板片にはボルト挿通孔２２ａとして四角孔が形成されている。緊締用のボルト２３としては根角ボルトが用いられ、根角部が四角孔に嵌合してナット２４止めによる共回りを防止できるようになっている。
【００４２】
また、挟着片２１は、図２（ｃ）（ｄ）に示すように、第２緊締部２２を構成する２枚の板片が上端にて折曲され離反するように延びてなる１対の物品載置部２１ａ、２１ａと、両物品載置部２１ａ、２１ａの端部を相向き合うように折曲加工して形成された、長尺フレーム１を両側方から押圧挟持するための１対の押圧部２１ｂ、２１ｂとを備えている。
【００４３】
第１緊締部１２をボルト１３とナット１４の螺合により緊締することで、やや開いた第１緊締部１２が閉じて、ボルト体嵌挿筒部１１が縮径する。さらに第２緊締部２２をボルト２３とナット２４の螺合により緊締すると、上部がやや開いた第２緊締部２２が閉じて、押圧部２１ｂ、２１ｂ間の寸法が狭まる（図２（ｃ）〜（ｅ）参照）。
【００４４】
この第１緊締部１２の緊締作業を、屋根上に突出したボルト体Ｂをボルト体嵌挿筒部１１に嵌挿させた状態で行うことで屋根上物品取付具Ａが屋根上に固定され、さらに前記第２緊締部２２の緊締作業を、長尺フレーム１を挟着片２１（押圧部２１ｂ、２１ｂ間）に配した状態で行うことで、長尺フレーム１が屋根上物品取付具Ａに固定される。
【００４５】
そして、長尺フレーム１は全長にわたって、図４に示すように、複数の頂部Ｙ１ａ、Ｙ１ａに固定された複数の屋根上物品取付具Ａ、Ａを用いて支持、固定される。
【００４６】
このように、屋根上物品取付具Ａは、屋根上に突出したボルト体Ｂを緊締により挟着するボルト体固定部１０と、長尺フレーム１を固定する屋根上物品固定部２０とを一体に備えているので、長尺フレーム１を屋根上物品取付具Ａ以外の別部材を用いることなく、簡単に屋根上に固定することができる。
【００４７】
また、屋根上物品固定部２０は長尺フレーム１を緊締により挟着する構成であるため、長尺フレーム１をビス止めにて固定しなくてもよく、ビス止めによる切粉の発生を防止できる。
【００４８】
以上のように、ボルト体嵌挿筒部１１は板材を重合折曲して形成された折曲部を筒状に加工して構成され、第１緊締部１２はその折曲部から横方向に延びた２枚の板片の重合部にて構成され、第２緊締部２２は第１緊締部１２からさらに上方に延びた２枚の板片の重合部にて構成され、挟着片２１は第２緊締部２２からさらに上方に延びた２枚の板片の開放端部を加工して構成されているので、屋根上物品取付具Ａを至極簡単な構造のものに形成でき、簡易に低コストで製造することができる。
【００４９】
さらに、挟着片２１は長尺フレーム１を下方より支持し、両側方より挟着する構成となっているので、長尺フレーム１を挟着片２１に上方より載置し、その後、第２緊締部２２で締め付けるだけの作業で長尺フレーム１を固定することができる。その結果、屋根上での長尺フレーム１の取り付けを簡易、迅速に行うことができる。
【００５０】
このような屋根上物品取付具Ａは、図６に示すように、折板屋根Ｙの頂部Ｙ１ａの長手方向に沿って並設され、それによって複数の長尺フレーム１、１、１が並設され、それらの並設された複数の長尺フレーム１、１、１に跨るように遮熱シート３が張設される。
【００５１】
そして、遮熱シート３は各長尺フレーム１の溝内に固定され、その上にはフレームカバー２が取り付けられる。
【００５２】
長尺フレーム１に対する遮熱シート３の取り付け構造は、その図示を省略しているが、たとえば、溝内において別部材で遮熱シート３を内底面に押し付け固定する構造としてもよいし、長尺フレーム１の溝開口１ａに対するフレームカバー２の嵌着によって遮熱シート３を固定する構造としてもよく、種々の固定構造を用いることができる。
【００５３】
なお、本実施形態では、複数の屋根上取付具Ａの上に長尺フレーム１を介して取り付ける屋根上物品の例として遮熱シート３を示したが、その他の屋根上物品を取り付ける場合にも適用できる。また、上述の屋根上物品取付具Ａは、長尺フレーム１に代えて他の長尺状の屋根上物品を取り付けることもできる。
【００５４】
ついで、本発明の他の実施形態に係る屋根上物品取付具について、図６および図７を参照しながら説明する。
【００５５】
この屋根上物品取付具Ａは、第１緊締部１１より下方に延びる脚部１５をさらに備えた構造となっている。この脚部１５は２枚の板片の重合体よりなり、屋根上物品取付具Ａを頂部Ｙ１ａのボルト体Ｂに取り付けたときに、脚部１５の下端が頂部Ｙ１ａの上面に当接するようになっている。なお、脚部１５以外の構成については図１のものと同様であるため、同一の符号を付して、その説明は省略する。
【００５６】
この屋根上物品取付具Ａは、頂部Ｙ１ａの長手方向に直交する方向に、挟着片２１の２つの物品載置部２１ａ、２１ａを並べるように配置することが、脚部１５を利用するうえで望ましい。
【００５７】
このような脚部１５を備えた屋根上物品取付具Ａによれば、屋根上物品取付具Ａをより安定的に屋根上に設置することができ、長尺フレーム１等の屋根上物品をぐらつきなく安定的に設置することができる。
【符号の説明】
【００５８】
Ａ      屋根上物品取付具
１０    ボルト体固定部
１１    ボルト体嵌挿筒部
１１ａ  内周胴部
１２    第１緊締部
１２ａ  ボルト挿通孔
１３    ボルト
１４    ナット
１５    脚部
２０    屋根上物品固定部
２１    挟着片
２１ａ  物品載置部
２１ｂ  押圧部
２２    第２緊締部
２２ａ  ボルト挿通孔
２３    ボルト
２４    ナット
１      長尺フレーム（屋根上物品）
Ｙ      折板屋根
Ｙ１    山部
Ｙ１ａ  頂部
Ｂ      ボルト体
【図１】
0005703252.tif 000002
【図２】
0005703252.tif 000003
【図３】
0005703252.tif 000004
【図４】
0005703252.tif 000005
【図５】
0005703252.tif 000006
【図６】
0005703252.tif 000007
【図７】
0005703252.tif 000008